(57)【要約】【課題】  版胴上に巻装されたマスタの機密を確実に保持することが可能な孔版印刷装置を提供する。【解決手段】  装置本体８の内部に、外周面上に製版されたマスタ１４ａを巻装する版胴９を有する印刷部２と、印刷部２に用紙Ｐを給送する給紙部４と、印刷部２において印刷された用紙Ｐを装置本体８の外部に排出する排紙部６とを具備した孔版印刷装置１において、版胴２の外周面上に巻装された製版されたマスタ１４ａを装置本体８の外部から視認することができないように遮蔽する遮蔽部材２４．２５を設けた。【選択図】                        図１
2005271363.tif 000002
【特許請求の範囲】
【請求項１】
装置本体の内部に、外周面上に製版されたマスタを巻装する版胴を有する印刷部と、前記印刷部に用紙を給送する給紙部と、前記印刷部において印刷された用紙を前記装置本体の外部に排出する排紙部とを具備した孔版印刷装置において、
前記版胴の外周面上に巻装された製版されたマスタを前記装置本体の外部から視認することができないように遮蔽する遮蔽部材を有することを特徴とする孔版印刷装置。
【請求項２】
請求項１記載の孔版印刷装置において、
前記遮蔽部材は前記給紙部と前記排紙部とにそれぞれ配設されていることを特徴とする孔版印刷装置。
【請求項３】
請求項１または請求項２記載の孔版印刷装置において、
前記遮蔽部材は遮蔽を行う遮蔽位置と遮蔽を行わない退避位置とに選択的に移動自在であることを特徴とする孔版印刷装置。
【請求項４】
請求項３記載の孔版印刷装置において、
前記遮蔽部材を遮蔽位置で保持する保持手段と、前記保持手段による前記遮蔽部材の保持を解除させる解除手段とを有することを特徴とする孔版印刷装置。
【請求項５】
請求項３または請求項４記載の孔版印刷装置において、
前記遮蔽部材の退避位置から遮蔽位置への移動は装置電源をオフすることによりなされることを特徴とする孔版印刷装置。
【請求項６】
請求項３ないし請求項５のうちの何れか１つに記載の孔版印刷装置において、
前記排紙部は印刷された用紙を搬送する排紙搬送部材を有し、前記遮蔽部材は遮蔽位置において前記排紙搬送部材の上方に位置する前記装置本体の開口部を遮蔽することを特徴とする孔版印刷装置。
【請求項７】
請求項３ないし請求項６のうちの何れか１つに記載の孔版印刷装置において、
前記給紙部は前記印刷部に向けて用紙を分離給送する分離給送部材を有し、前記遮蔽部材は遮蔽位置において前記分離給送部材の上方に位置する前記装置本体の開口部を遮蔽することを特徴とする孔版印刷装置。
【請求項８】
請求項３ないし請求項７のうちの何れか１つに記載の孔版印刷装置において、
前記遮蔽部材は印刷動作時に退避位置を占め、印刷動作終了時に遮蔽位置を占めることを特徴とする孔版印刷装置。
【請求項９】
請求項３ないし請求項８のうちの何れか１つに記載の孔版印刷装置において、
用紙の搬送ジャムを検知する用紙ジャム検知手段を有し、前記用紙ジャム検知手段により用紙の搬送ジャムが検知されたときには前記遮蔽部材が退避位置を占めることを特徴とする孔版印刷装置。
【請求項１０】
請求項３ないし請求項９のうちの何れか１つに記載の孔版印刷装置において、
機密保持を行う機密保持モードを設定する機密保持モード設定手段を有し、前記機密保持モード設定手段により機密保持モードが設定された場合にのみ前記遮蔽部材を遮蔽位置に移動させることを特徴とする孔版印刷装置。
【発明の詳細な説明】
【技術分野】
【０００１】
本発明は、孔版印刷装置の機密保持技術に関し、詳しくは版胴上に巻装されたマスタの機密を保持するための技術に関する。
【背景技術】
【０００２】
従来の孔版印刷装置では、印刷が終了して原稿を変更した後に次の印刷を行う際に、製版スタートキーの押下により排版手段が作動して版胴からの使用済みマスタの剥離が行われた後、続いて製版手段が作動して新たに製版されたマスタが版胴に巻装されるように構成されている。これは、印刷終了直後に版胴から使用済みマスタを剥離すると、次の印刷に先立って新しい製版済みマスタが巻装されるまで版胴表面が大気に晒された状態で放置されることとなり、この放置状態が長時間に及ぶと版胴表面や開口部に残留したインキが変成して次版の印刷に際して良好な印刷が行われないことがあるため、使用済みのマスタを版胴外周面上に巻装させておき版胴表面が大気に晒されることを防止しているのである。
【０００３】
しかし、上述のように使用済みのマスタを版胴に巻装させたまま放置しておくと、装置使用者が交代して印刷動作が行われた場合には前使用者が印刷していた印刷物がそまま印刷されてしまう。これは、印刷物の内容が他者に知られては困る内容のものや複製されては困る内容のものであるときに大きな問題となる。
【０００４】
また、最近の孔版印刷装置の多くは、色換えやメンテナンス等を行うために版胴が印刷装置本体に対して着脱自在となっている。このような孔版印刷装置では、機密を要するマスタが版胴に巻装された状態で放置されている場合に、版胴を印刷装置本体から抜き出してマスタを判読することにより、マスタの内容が判読されてしまうという問題点がある。
【０００５】
これらの問題点を解決するため、機密保持を行う機密保持モードを有し、この機密保持モードが設定されたときには印刷動作及び試し刷り動作を禁止して製版動作のみを受け付けると共に、印刷装置本体からの版胴の抜き出しを禁止する技術が、例えば「特許文献１」に開示されている。
【０００６】
【特許文献１】特開平８−１８３２３８号公報
【発明の開示】
【発明が解決しようとする課題】
【０００７】
通常の孔版印刷装置では、用紙を給紙する給紙部あるいは用紙が排出される排紙部は版胴を有する印刷部と直結されており、しかも多量の用紙を積載することが必要であるために広い開口部を有していることが多い。従って、印刷装置本体からの版胴の抜き出しができない状態であっても、このような開口部から版胴外周面を覗くことができる場合があり、こういった場合には機密が漏洩してしまう虞がある。
【０００８】
本発明は上述した問題点を解決し、版胴上に巻装されたマスタの機密を確実に保持することが可能な孔版印刷装置の提供を目的とする。
【課題を解決するための手段】
【０００９】
請求項１記載の発明は、装置本体の内部に、外周面上に製版されたマスタを巻装する版胴を有する印刷部と、前記印刷部に用紙を給送する給紙部と、前記印刷部において印刷された用紙を前記装置本体の外部に排出する排紙部とを具備した孔版印刷装置において、前記版胴の外周面上に巻装された製版されたマスタを前記装置本体の外部から視認することができないように遮蔽する遮蔽部材を有することを特徴とする。
【００１０】
請求項２記載の発明は、請求項１記載の孔版印刷装置において、さらに前記遮蔽部材は前記給紙部と前記排紙部とにそれぞれ配設されていることを特徴とする。
【００１１】
請求項３記載の発明は、請求項１または請求項２記載の孔版印刷装置において、さらに前記遮蔽部材は遮蔽を行う遮蔽位置と遮蔽を行わない退避位置とに選択的に移動自在であることを特徴とする。
【００１２】
請求項４記載の発明は、請求項３記載の孔版印刷装置において、さらに前記遮蔽部材を遮蔽位置で保持する保持手段と前記保持手段による前記遮蔽部材の保持を解除させる解除手段とを有することを特徴とする。
【００１３】
請求項５記載の発明は、請求項３または請求項４記載の孔版印刷装置において、さらに前記遮蔽部材の退避位置から遮蔽位置への移動は装置電源をオフすることによりなされることを特徴とする。
【００１４】
請求項６記載の発明は、請求項３ないし請求項５のうちの何れか１つに記載の孔版印刷装置において、さらに前記排紙部は印刷された用紙を搬送する排紙搬送部材を有し、前記遮蔽部材は遮蔽位置において前記排紙搬送部材の上方に位置する前記装置本体の開口部を遮蔽することを特徴とする。
【００１５】
請求項７記載の発明は、請求項３ないし請求項６のうちの何れか１つに記載の孔版印刷装置において、さらに前記給紙部は前記印刷部に向けて用紙を分離給送する分離給送部材を有し、前記遮蔽部材は遮蔽位置において前記分離給送部材の上方に位置する前記装置本体の開口部を遮蔽することを特徴とする。
【００１６】
請求項８記載の発明は、請求項３ないし請求項７のうちの何れか１つに記載の孔版印刷装置において、さらに前記遮蔽部材は印刷動作時に退避位置を占め、印刷動作終了時に遮蔽位置を占めることを特徴とする。
【００１７】
請求項９記載の発明は、請求項３ないし請求項８のうちの何れか１つに記載の孔版印刷装置において、さらに用紙の搬送ジャムを検知する用紙ジャム検知手段を有し、前記用紙ジャム検知手段により用紙の搬送ジャムが検知されたときには前記遮蔽部材が退避位置を占めることを特徴とする。
【００１８】
請求項１０記載の発明は、請求項３ないし請求項９のうちの何れか１つに記載の孔版印刷装置において、さらに機密保持を行う機密保持モードを設定する機密保持モード設定手段を有し、前記機密保持モード設定手段により機密保持モードが設定された場合にのみ前記遮蔽部材を遮蔽位置に移動させることを特徴とする。
【発明の効果】
【００１９】
本発明によれば、遮蔽部材が退避位置から遮蔽位置に移動することにより、版胴上に巻装された製版されたマスタが機密を要する場合に拘わらず、装置本体の外側から版胴上の製版されたマスタを視認することができなくなり、版胴上に巻装された製版されたマスタの機密性を保持することができる。
【発明を実施するための最良の形態】
【００２０】
図１は、本発明の第１の実施形態を採用した孔版印刷装置を示している。同図において孔版印刷装置１は、印刷部２、製版部３、給紙部４、排版部５、排紙部６、画像読取部７を有している。
【００２１】
装置本体８のほぼ中央に配設された印刷部２は版胴９と圧胴１０とを有している。図示しない版胴駆動手段によって回転駆動される版胴９は、その外周面に製版されたマスタを保持するためのクランパ１１を有しており、その内部にインキローラ及びドクターローラ等を有する周知のインキ供給手段１２を有している。
【００２２】
版胴９の下方に配設された版胴９と同径の圧胴１０は、図示しない駆動手段によって版胴９と同期して回転駆動され、図示しない揺動手段によって版胴９に対して接離自在に構成されている。圧胴１０の外周面には、クランパ１１との接触を回避するための凹部１０ａが形成されており、凹部１０ａには用紙Ｐの先端部を保持するための開閉自在な用紙保持爪１３が設けられている。
【００２３】
印刷部２の右上方には製版部３が配設されている。製版部３は、マスタ１４をロール状に巻成してなるマスタロールを保持するマスタロール保持手段、サーマルヘッド１５、プラテンローラ１６、マスタ切断手段１７、マスタ搬送ローラ対、マスタストック手段等を有する周知の構成であり、製版部３で製版されたマスタ１４ａはマスタストック手段で一時貯容された後、印刷部２に向けて送られて版胴９の外周面上に巻装される。
【００２４】
印刷部２の右下方には給紙部４が配設されている。給紙部４は、用紙Ｐを積載する給紙トレイ１８、給紙ローラ１９、分離給送部材としての分離ローラ２０、レジストローラ対２１等を有する周知の構成であり、給紙部４から分離給送された用紙Ｐは印刷部２に向けて送られ、用紙保持爪１３によって圧胴１０の外周面上に保持される。
【００２５】
印刷部２の左上方には排版部５が配設されている。排版部５は、排版ローラ対、マスタ剥離爪、排版ボックス、図示しない圧縮板等を有する周知の構成であり、版胴９の外周面上から使用済みのマスタ１４を剥離して排版ボックスの内部に収納する。
【００２６】
印刷部２の左下方には排紙部６が配設されている。排紙部６は、図示しない剥離爪、排紙搬送部材２２、排紙トレイ２３等を有する周知の構成であり、印刷部２において画像を転写された用紙Ｐは図示しない剥離爪によって圧胴１０の外周面より剥離された後、排紙搬送部材２２に搬送されて排紙トレイ２３上に排出される。排紙搬送部材２２には、排紙トレイ２３に排出される用紙Ｐに対して腰付けを行うためのジャンプ板２２ａが、用紙Ｐの両側縁と対応する位置にそれぞれ配設されている。
【００２７】
装置本体８の上部には画像読取部７が配設されている。画像読取部７は、図示しないコンタクトガラス、走査ユニット、結像レンズ、画像センサ、ＡＤＦユニット等を有する周知の構成であり、読み取られた画像は画像データ信号に変換され、この画像データ信号に基づいて製版部３においてマスタ１４への製版動作が行われる。
【００２８】
装置本体８の内部であって、給紙部４及び排紙部６と対応する位置には、外部から装置本体８の内部が視認できないように遮蔽を行う遮蔽部材２４，２５がそれぞれ配設されている。遮蔽部材２４は、分離ローラ２０の上方に位置する装置本体８の開口部８ａから版胴９の外周面上に巻装された製版されたマスタ１４ａが視認できないように分離ローラ２０よりも用紙Ｐの搬送方向下流側の位置に配置され、遮蔽部材２５は、排紙搬送部材２２の上方に位置する装置本体の開口部８ｂから版胴９の外周面上に巻装された製版されたマスタ１４ａが視認できないように配置されている。
【００２９】
板状部材である各遮蔽部材２４，２５は、各基端部を装置本体８にそれぞれ回動自在に支持され、図１に実線で示す遮蔽位置と破線で示す退避位置とに移動自在に構成されている。この移動機構については後述する。遮蔽部材２４は、遮蔽位置を占めたときに分離ローラ２０の周面よりも僅かに上方にその自由端部が位置するように配置され、遮蔽部材２５は、図２に示すように、遮蔽位置を占めたときに排紙搬送部材２２によって搬送される用紙Ｐに搬送ジャムが発生しないよう、排紙搬送部材２２の上面に沿った形状に形成されている。この実施形態では排紙搬送部材２２がその両側縁部にジャンプ板２２ａを有しているので、図２に示したような形状となる。各遮蔽部材２４，２５の幅は、版胴９の外周面上に巻装された製版されたマスタ１４が視認できないような、適宜の幅に設定されている。
【００３０】
ここで、各遮蔽部材２４，２５の移動機構について説明する。なお、この移動機構は各遮蔽部材２４，２５に共通して用いられるので、以下の説明では遮蔽部材２４についてのみ説明し、遮蔽部材２５についての説明は省略する。
【００３１】
図３（ａ）に示すように、遮蔽部材２４の基端部である一端は、装置本体８に回動自在に支持された支軸２６に固着されており、この支軸２６にはアーム２７が一体的に形成されている。アーム２７には長穴が形成されており、この長穴には装置本体８に設けられたキープソレノイド２８のプランジャ２８ａが係合している。キープソレノイド２８は、通電が行われた際にプランジャ２８ａを突出位置あるいは吸引位置に選択的に移動させ、通電が断たれたときにもプランジャ２８ａをその位置で保持する。アーム２７には、一端を装置本体８に固定された引張ばね２９の他端が取り付けられている。
【００３２】
キープソレノイド２８のプランジャ２８ａが吸引位置を占めた状態では、遮蔽部材２４はその自由端部である他端を装置本体８に取り付けられたストッパ３０に当接させた図３（ａ）に示す遮蔽位置を占めている。そして、キープソレノイド２８に通電がなされると、プランジャ２８ａが所定量突出されると共に引張ばね２９の付勢力も作用し、プランジャ２８ａが突出位置を占めアーム２７が支軸２６を中心に反時計回り方向に回動されることにより、遮蔽部材２４は図３（ｂ）に示す退避位置を占める。
【００３３】
上述の構成に基づき、以下に孔版印刷装置１の動作を説明する。  
オペレータにより図示しない製版スタートキーが押下されると、版胴９が低速で回転駆動されると共に排版部５が作動し、版胴９の外周面上より使用済みの製版されたマスタ１４ａが剥離される。その後、版胴９が所定のホームポジションまで回転して停止し、排版動作が完了する。製版スタートキーの押下時において、各遮蔽部材２４，２５を移動させる各キープソレノイド２８は、各遮蔽部材２４，２５を退避位置に位置決めしている。
【００３４】
排版動作完了後、サーマルヘッド１５及びプラテンローラ１６が作動し、マスタ１４に対して画像読取部７において読み取られた画像データに基づいた製版動作が行われる。このとき版胴９はクランパ１１がほぼ右真横に位置する給版位置を占めており、クランパ１１が開放される。製版されたマスタ１４ａの先端がクランパ１１まで達するとクランパ１１が閉じられ、製版されたマスタ１４ａが版胴９に保持される。その後、版胴９が製版速度とほぼ同じ周速度で回転駆動され、製版されたマスタ１４ａが版胴９に巻装される。そして、製版されたマスタ１４ａが所定長さ製版搬送されると、マスタ切断手段１７が作動してマスタ１４が切断される。切断された製版されたマスタ１４ａは版胴９によって巻き取られ、巻装動作が完了する。
【００３５】
巻装動作完了後、給紙部４から１枚の用紙Ｐが給送されると共に版胴９が低速で回転駆動される。給送された用紙Ｐはレジストローラ対２１で一時停止された後、版胴９に巻装された製版されたマスタ１４ａの製版画像と対応するタイミングで版胴９と圧胴１０との間に向けて送られる。そして、その先端部を用紙保持爪１３に保持された後、圧胴１０が揺動することにより用紙Ｐは版胴９上の製版されたマスタ１４ａに押圧され、その表面に画像を転写される。この押圧によりインキ供給手段１２から供給されたインキが版胴９を構成する多孔性支持板及び製版されたマスタ１４ａに行き渡り、いわゆる版付けが行われる。版付けされた用紙Ｐは用紙保持爪１３が開放されることによって圧胴１０上から開放された後、排紙搬送部材２２によって搬送されて排紙トレイ２３上に排出され、版付け動作が完了して孔版印刷装置１は印刷待機状態となる。
【００３６】
孔版印刷装置１が印刷待機状態となると、続けて印刷動作が行われる。版付け動作完了後、版胴９が版付け時よりも高速である設定された周速度で回転駆動されると共に給紙部４より用紙Ｐが連続的に給送される。給送された用紙Ｐは印刷部２において連続的に印刷された後、排紙部６へと送られて排紙トレイ２３上に排出される。そして予め設定された印刷枚数の印刷が終了すると、版胴９がホームポジションに位置決めされた後に孔版印刷装置１の作動が停止される。
【００３７】
印刷動作完了後、各キープソレノイド２８に通電がなされ、各遮蔽部材２４，２５が退避位置から遮蔽位置にそれぞれ移動される。これにより、版胴９上に巻装された製版されたマスタ１４ａが機密を要する場合に拘わらず、装置本体８の外側から版胴９上の製版されたマスタ１４ａを視認することができなくなり、版胴９上に巻装された製版されたマスタ１４ａの機密性を保持することができる。
【００３８】
本実施形態では、印刷動作終了後に各遮蔽部材２４，２５を退避位置から遮蔽位置に移動させる構成としたが、上述したように遮蔽部材２４が遮蔽位置において給紙部４における用紙Ｐの搬送を妨げず、かつ、遮蔽部材２５が遮蔽位置において排紙部６における用紙Ｐの搬送を妨げないため、孔版印刷装置１の動作中においても各遮蔽部材２４，２５を遮蔽位置に位置決めさせる構成としてもよい。
【００３９】
さらに、各遮蔽部材２４，２５を常に遮蔽位置に置く構成とした場合には、用紙搬送ジャムの発生時において遮蔽位置を占めた各遮蔽部材２４，２５がジャム処理作業の邪魔となる場合があるため、用紙Ｐの搬送ジャムが発生した際にこれを検知する周知の用紙ジャム検知手段を少なくとも給紙部４及び排紙部６に設け、用紙ジャム検知手段により用紙Ｐの搬送ジャムが検知された場合には各キープソレノイド２８を作動させ、各遮蔽部材２４，２５を退避位置に移動させる構成を採用してもよい。
【００４０】
また、機密を要さない内容の印刷物を印刷する場合等、必ずしも各遮蔽部材２４，２５を遮蔽位置に位置決めさせる必要はないことから、孔版印刷装置１の図示しない操作パネル上に機密保持を行う機密保持モードを設定する機密保持モード設定手段を設け、機密保持モードが設定された場合にのみ上述したように各遮蔽部材２４，２５を遮蔽位置に位置決めさせる構成としてもよい。
【００４１】
図４は、本発明の第２の実施形態を示している。この第２の実施形態は第１の実施形態と比較すると、保持手段３１及び解除手段としてのソレノイド３２を有する点においてのみ相違しており、他の構成は同一である。なお、この第２の実施形態も各遮蔽部材２４，２５に共通して適用可能であるため、ここでは遮蔽部材２４に適用した例についてのみ説明し、遮蔽部材２５に適用した例についてはその説明を省略する。
【００４２】
保持手段３１は、保持アーム３３と引張ばね３４とを有している。保持アーム３３はそのほぼ中央部を装置本体８に設けられた支軸３５によって回動自在に支持されており、その一端部寄りには遮蔽部材２４の他端が係合する切欠部３３ａが形成されていて、その一端には斜面部３３ｂが形成されている。斜面部３３ｂは、遮蔽部材２４が退避位置から遮蔽位置に移動する際に、遮蔽部材２４の他端が乗り上げ可能となる形状に形成されている。保持アーム３３の他端には、一端を装置本体８に固定された引張ばね３４の他端が取り付けられており、この取付位置の近傍には長穴が形成されている。保持アーム３３の長穴には、装置本体８に設けられたソレノイド３２のプランジャ３２ａが係合している。保持アーム３３の一端近傍には、保持アーム３３が図４の実線位置よりも支軸３５を中心として図４において反時計回り方向へ回動することを禁止する図示しないストッパが設けられている。
【００４３】
ソレノイド３２への通電が解除されている場合には、保持アーム３３は引張ばね３４の付勢力によって図４に実線で示す保持位置を占め、ソレノイド３２への通電がなされると、保持アーム３３は図４に二点鎖線で示す解除位置を占める。遮蔽部材２４が遮蔽位置を占め保持アーム３３が保持位置を占めた状態では、遮蔽部材２４の他端と切欠部３３ａとが係合しており、この状態では装置本体８の外部から遮蔽部材２４に外力を加えて遮蔽部材２４を開放しようとしても、遮蔽部材２４と保持アーム３３とが係合状態にあるために遮蔽部材２４を開放することができず、版胴９上に巻装された製版されたマスタ１４ａの機密性の保持力をより一層高めることができる。
【００４４】
遮蔽部材２４が遮蔽位置を占め保持アーム３３が保持位置を占めた状態からソレノイド３２へ通電が行われると、保持アーム３３が解除位置を占める。この状態からキープソレノイド２８が作動してプランジャ２８ａが図３（ｂ）に示す突出状態となると、遮蔽部材２４が遮蔽位置から退避位置へと移動される。その後、ソレノイド３２への通電が断たれることにより保持アーム３３が再び保持位置を占め、この一連の動作により遮蔽部材２４の遮蔽位置から退避位置への移動が完了する。
【００４５】
遮蔽部材２４を退避位置から遮蔽位置に移動させる場合には、上述の状態からキープソレノイド２８を作動させてプランジャ２８ａを図３（ａ）に示す吸引状態とする。このとき、遮蔽部材２４が退避位置から遮蔽位置へと移動されるが、この移動時において遮蔽部材２４の他端が斜面部３３ｂに乗り上げ、保持アーム３３を引張ばね３４の付勢力に抗して図４において支軸３５を中心に時計回り方向に回動させる。これにより遮蔽部材２４の他端と切欠部３３ａとが係合し、遮蔽部材２４は遮蔽位置で保持された状態となる。
【００４６】
図５は、本発明の第３の実施形態を示している。この第３の実施形態は、第１の実施形態と比較すると、各遮蔽部材２４，２５の移動機構が異なる点においてのみ相違しており、他の構成は同一である。この第３の実施形態も各遮蔽部材２４，２５に共通して適用可能であるため、ここでは遮蔽部材２４に適用した例についてのみ説明し、遮蔽部材２５に適用した例についてはその説明を省略する。
【００４７】
遮蔽部材２４の一端は、装置本体８に回動自在に支持された支軸３６に固着されており、この支軸３６にはアーム３７が一体的に形成されている。支軸３６にはギヤ３８が一体的に取り付けられており、ギヤ３８は装置本体８に回転自在に支持されたアイドルギヤ３９と噛合している。アイドルギヤ３９の近傍に位置する装置本体８にはステッピングモータ４０が配設されており、ステッピングモータ４０の出力軸にはアイドルギヤ３９と噛合するギヤ４１が取り付けられている。
【００４８】
アーム３７には、一端を装置本体８に取り付けられた引張ばね４２の他端が取り付けられており、遮蔽部材２４には支軸３６を中心として図５において時計回り方向への回動付勢力が付与されている。また、アーム３７の回動軌跡上には、遮蔽部材２４が退避位置を占めた際にアーム３７の端部を検知する位置検知センサ４３が配設されている。
【００４９】
遮蔽部材２４を遮蔽位置から退避位置へと移動させる場合には、ステッピングモータ４０を作動させてギヤ４１を図５において反時計回り方向に回転駆動させる。すると、これと噛合したアイドルギヤ３９が時計回り方向に回転し、さらにこれに噛合したギヤ３８が反時計回り方向に回転することにより遮蔽部材２４が支軸３６を中心に図５において反時計回り方向に回動される。そして、遮蔽部材２４が退避位置に達するとアーム３７の端部が位置検知センサ４３に検知され、位置検知センサ４３から信号が送られてステッピングモータ４０が停止することにより、遮蔽部材２４が退避位置を占める。さらにこの後、ステッピングモータ４０に対して出力軸を現位置に保持させるためのホールド電流が付与されることにより、遮蔽部材２４は引張ばね４２の付勢力に抗して退避位置を占めた状態を維持する。
【００５０】
遮蔽部材２４を退避位置から遮蔽位置へと移動させる場合には、ステッピングモータ４０に対するホールド電流の付与を停止する。これにより遮蔽部材２４は、引張ばね４２の付勢力によりステッピングモータ４０の非通電時における出力軸トルク（ディテントトルク）に打ち勝って、遮蔽位置に戻される。
【００５１】
なお、ステッピングモータ４０に対してホールド電流の付与を停止させる方法としては、上述したように孔版印刷装置１を電気的に制御してホールド電流の付与を停止させる方法の他、孔版印刷装置１のメイン電源がオフされた場合にもホールド電流の付与を停止させることが可能である。従って、本実施形態では印刷動作終了後、孔版印刷装置１のメイン電源をオフして遮蔽部材２４を遮蔽位置に移動させることができ、電源オフ時における機密保持を簡単かつ確実に行うことができる。
【００５２】
この第３の実施形態の変形例として、図５に二点鎖線で示すように、ステッピングモータ４０の出力軸にワンウェイクラッチ４４を介装し、遮蔽部材２４の退避位置から遮蔽位置への移動に際しては、遮蔽位置から退避位置への移動時におけるステッピングモータ４０のステップ数以上のステップ数でステッピングモータ４０を逆転させ、ステッピングモータ４０の出力軸に負荷が掛からない状態として引張ばね４２の付勢力で遮蔽部材２４を移動させる構成としてもよい。
【００５３】
この第３の実施形態及び変形例においても、第１の実施形態と同様に、孔版印刷装置１の印刷動作終了後に各遮蔽部材２４，２５を退避位置から遮蔽位置に移動させる構成、孔版印刷装置１の動作中にも各遮蔽部材２４，２５を遮蔽位置に位置決めさせる構成、ジャムが検知された場合に各遮蔽部材２４，２５を遮蔽位置から退避位置に移動させる構成、機密保持モードが設定された場合にのみ各遮蔽部材２４，２５をそれぞれ遮蔽位置に位置決めさせる構成としてもよい。
【００５４】
さらに、この第３の実施形態及び変形例においても、第２の実施形態で示した保持手段３１及び解除手段としてのソレノイド３２を付設することにより、版胴９上に巻装された製版されたマスタ１４ａの機密性の保持力をより一層高めることができる。
【図面の簡単な説明】
【００５５】
【図１】本発明の第１の実施形態を適用した孔版印刷装置の概略正面図である。
【図２】本発明の第１の実施形態における排紙部に設けられた遮蔽部材を説明するための概略図である。
【図３】本発明の第１の実施形態に用いられる遮蔽部材の移動機構を説明するための概略図である。
【図４】本発明の第２の実施形態に用いられる保持手段及び解除手段を説明するための概略図である。
【図５】本発明の第３の実施形態及び変形例に用いられる遮蔽部材の移動機構を説明するための概略図である。
【符号の説明】
【００５６】
１  孔版印刷装置
２  印刷部
４  給紙部
６  排紙部
８  装置本体
８ａ  分離給送部材の上方に位置する装置本体の開口部
８ｂ  排紙搬送部材の上方に位置する装置本体の開口部
９  版胴
１４ａ  製版されたマスタ
２０  分離給送部材（分離ローラ）
２２  排紙搬送部材
２４，２５  遮蔽部材
３１  保持手段
３２  解除手段（ソレノイド）
Ｐ  用紙
【図１】
2005271363.tif 000003
【図２】
2005271363.tif 000004
【図３】
2005271363.tif 000005
【図４】
2005271363.tif 000006
【図５】
2005271363.tif 000007